(57)【要約】【課題】操作ボタンスイッチを削減してリモコン装置の小型化を図るとともに、操作性の向上を図る。【解決手段】リモコン本体１に蓋体４を回動自在に取り付ける。蓋体４でリモコン本体１の上部領域１Ａを覆い、下部領域１Ｂは露出する。この状態がＴＶモードとなり、上部領域１Ａの操作ボタンスイッチ２は蓋体４に組み付けた操作キー５で操作し、下部領域１Ｂの操作ボタンスイッチ２は直接、操作する。蓋体４を起こして下部領域１Ｂで覆うと、切換スイッチ２０によりＤＶＤモードとなる。ＤＶＤモードでは露出した上部領域１Ａの操作ボタンスイッチ２を直接、操作し、蓋体４で隠れた下部領域１Ｂの操作ボタンスイッチ２は蓋体４に組み付けた操作キー５で操作する。【選択図】図２
2007324686.tif 000002
【特許請求の範囲】
【請求項１】
操作対象である機器を遠隔操作するリモコン装置であって、リモコン本体には複数の操作ボタンスイッチと、回動自在な蓋体とを設けるとともに、この蓋体の回動操作によってリモコン本体に露出する操作ボタンスイッチと蓋体で隠れる操作ボタンスイッチとを選択可能と、かつ、前記蓋体にはその蓋体で隠れた操作ボタンスイッチを押圧操作する操作キーを設けたことを特徴とするリモコン装置。
【請求項２】
前記リモコン本体に露出する操作ボタンスイッチと、前記蓋体で隠れる操作ボタンスイッチとが蓋体の回動中心を対称軸線としてそれぞれ対称に配置されていることを特徴とする請求項１記載のリモコン装置。
【請求項３】
前記リモコン本体には、前記蓋体の回動操作に連動して前記操作ボタンスイッチの機能を切り換える切換スイッチを設けたことを特徴とする請求項１又は２記載のリモコン装置。
【請求項４】
前記切換スイッチによって操作ボタンスイッチの機能を切り換えた際、操作対象である機器にモードの切換信号を出力することを特徴とする請求項３記載のリモコン装置。
【請求項５】
前記リモコン本体には、操作ボタンスイッチの機能を示す表示部を設けるとともに、蓋体の表裏には前記切換スイッチによるモード切換時に対応して前記リモコン本体の表示部と異なる表示部が設けられていることを特徴とする請求項１〜４の何れか１項に記載のリモコン装置。
【請求項６】
前記蓋体と前記リモコン本体にそれぞれ相互に磁気的に吸着してリモコン本体に対して前記蓋体を保持するマグネットをそれぞれ対応した位置に設けるとともに、このマグネットは前記蓋体と前記リモコン本体との間隔を保持して操作ボタンスイッチの誤操作を防止するスペーサとして兼用してなることを特徴とする請求項１〜５の何れか１項に記載のリモコン装置。
【発明の詳細な説明】
【技術分野】
【０００１】
本発明は、例えば記録再生装置やテレビあるいはこれらの記録再生装置を内蔵した複合型テレビジョン装置などの機器を遠隔操作するリモコン装置に関する。
【背景技術】
【０００２】
従来から操作対象である機器を遠隔操作するリモコン装置は、記録再生装置やテレビジョンあるいはエアコン、照明器具といった各種電化製品に用いられている。ところで、リモコン装置は操作する機器の高機能化に伴ってリモコン装置に備えた操作ボタンが多くなる一方、操作性の観点から小型化が望まれている。例えば、ＤＶＤ（Ｄｉｇｉｔａｌ  Ｖｅｒｓａｔｉｌｅ  Ｄｉｓｋ）やＨＤＤ（ハードディスクドライブ）などの記録再生装置を内蔵した複合型テレビジョン装置を遠隔操作するリモコン装置は、記録再生装置用とテレビ用の操作ボタンが必要となり、その操作ボタンの操作性を損なわずリモコン装置の小型化するのは困難である。そこで、例えば、特許文献１には、少なくとも第１の操作および第２の操作を兼用する兼用キーを含む複数の操作キーと、これらの操作キーの機能を切り換えて前記兼用キーによる操作として第１の操作または第２の操作を選択するための選択キーを備えたリモートコントロール送信機が開示されている。
【０００３】
【特許文献１】特開２０００−１８４４７７号公報
【発明の開示】
【発明が解決しようとする課題】
【０００４】
前記特許文献１に示すリモートコントロール送信機は、選択キーを操作することで兼用キーの機能が切り換わるように構成され、兼用キーによって第１の操作又は第２の操作の何れかが操作可能となる。これにより、操作キーの個数を削減できるものの、兼用キーによる操作で異なる機能を備えることから、その機能を示す表示部などがない場合、兼用キーを操作の際に、その兼用キーの機能を判断することが困難である。このため、１つの兼用キーに対して２つ以上の機能表示を設けることも考えられるが、このような表示方法では、広い表示スペースが必要になるから、結局のところリモコン本体の小型化を損なう虞がある。また、特許文献１においては、選択キーを押さないで兼用キーを操作した際の機能と、選択キーを押しながら兼用キーを操作した際の機能とを切り換えるように構成されているから、選択キーを押しながら兼用キーを操作する場合、片手でリモコン本体を操作することができないため、取り扱いに不便で操作しづらい面があった。
【０００５】
本発明は上述した問題点に鑑みてなされたものであり、操作ボタンスイッチを削減してリモコン装置の小型化を図るとともに、操作性にも優れたリモコン装置を提供することを目的とする。
【課題を解決するための手段】
【０００６】
請求項１のリモコン装置は、操作対象である機器を遠隔操作するリモコン装置であって、リモコン本体には複数の操作ボタンスイッチと、回動自在な蓋体とを設けるとともに、この蓋体の回動操作によってリモコン本体に露出する操作ボタンスイッチと蓋体で隠れる操作ボタンスイッチとを選択可能と、かつ、前記蓋体にはその蓋体で隠れた操作ボタンスイッチを押圧操作する操作キーを設けたことを特徴とする。
【０００７】
請求項１の構成によれば、例えば、リモコン本体に取り付けた蓋体でリモコン本体の上部領域を覆った場合、下部領域が露出する。この状態では、上部領域の操作ボタンスイッチは蓋体に組み付けた操作キーで操作し、下部領域の操作ボタンスイッチは直接、操作する。この状態から蓋体を起こして下部領域で覆うと、操作ボタンスイッチの機能が切り換わるとともに、上部領域の操作ボタンスイッチは外部に露出し、操作ボタンスイッチの機能切り換え後において、露出した上部領域の操作ボタンスイッチを直接、操作し、蓋体で隠れた下部領域の操作ボタンスイッチは蓋体に組み付けた操作キーで操作する。
【０００８】
請求項２のリモコン装置は、請求項１記載のリモコン装置において、前記リモコン本体に露出する操作ボタンスイッチと、前記蓋体で隠れる操作ボタンスイッチとが蓋体の回動中心を対称軸線としてそれぞれ対称に配置されていることを特徴とする。
【０００９】
請求項２の構成によれば、蓋体でリモコン本体の上部領域又は下部領域の何れかを覆った際、上部領域又は下部領域に配置した操作ボタンスイッチが蓋体に組み付けた操作キーによって操作可能となる。
【００１０】
請求項３のリモコン装置は、請求項１又は２記載のリモコン装置において、前記リモコン本体には、前記蓋体の回動操作に連動して前記操作ボタンスイッチの機能を切り換える切換スイッチを設けたことを特徴とする。
【００１１】
請求項３の構成によれば、蓋体でリモコン本体の上部領域を覆った場合と下部領域を覆った場合とで操作ボタンスイッチの機能が自動的に切り換わる。
【００１２】
請求項４のリモコン装置は、請求項３記載のリモコン装置において、前記切換スイッチによって操作ボタンスイッチの機能を切り換えた際、操作対象である機器にモードの切換信号を出力することを特徴とする。
【００１３】
請求項４の構成によれば、蓋体の回動操作によって操作ボタンスイッチの機能を切り換えた際、機器側にモードの切換信号を出力することで、その後、操作ボタンスイッチを操作した際、モードに応じた動作が行われる。
【００１４】
請求項５のリモコン装置は、請求項１〜４の何れか１項に記載のリモコン装置において、前記リモコン本体には、操作ボタンスイッチの機能を示す表示部を設けるとともに、蓋体の表裏には前記切換スイッチによるモード切換時に対応して前記リモコン本体の表示部と異なる表示部が設けられていることを特徴とする。
【００１５】
請求項５の構成によれば、操作ボタンスイッチの機能を切り換える際、その機能に対応した表示部のみがリモコン本体と蓋体に形成されているから、１つの操作ボタンスイッチに機能が異なる２つの表示部を形成する必要がない。
【００１６】
請求項６のリモコン装置は、請求項１〜５の何れか１項に記載のリモコン装置において、前記蓋体と前記リモコン本体にそれぞれ相互に磁気的に吸着してリモコン本体に対して前記蓋体を保持するマグネットをそれぞれ対応した位置に設けるとともに、このマグネットは前記蓋体と前記リモコン本体との間隔を保持して操作ボタンスイッチの誤操作を防止するスペーサとして兼用してなることを特徴とする。
【００１７】
請求項６の構成によれば、リモコン本体と蓋体に形成するマグネットでリモコン本体と蓋体との間隔を保持することで、蓋体に組み付けた操作キーで操作ボタンスイッチが押されることはない。
【発明の効果】
【００１８】
請求項１のリモコン装置によれば、操作対象である機器を遠隔操作するリモコン装置であって、リモコン本体には複数の操作ボタンスイッチと、回動自在な蓋体とを設けるとともに、この蓋体の回動操作によってリモコン本体に露出する操作ボタンスイッチと蓋体で隠れる操作ボタンスイッチとを選択可能と、かつ、前記蓋体にはその蓋体で隠れた操作ボタンスイッチを押圧操作する操作キーを設けたことにより、操作ボタンスイッチの数を削減してリモコン本体の小型化が図ることができるとともに、操作に際し、リモコン本体に露出する操作ボタンスイッチは直接、その操作ボタンスイッチを押して操作し、蓋体で隠れる操作ボタンスイッチは蓋体に組み付けた操作キーを介して間接的に操作することができ、操作性にも優れる。
【００１９】
請求項２のリモコン装置によれば、請求項１記載のリモコン装置において、前記リモコン本体に露出する操作ボタンスイッチと、前記蓋体で隠れる操作ボタンスイッチとが蓋体の回動中心を対称軸線としてそれぞれ対称に配置されているものであるから、リモコン本体に組み付けた全ての操作ボタンスイッチが、蓋体に組み付けた操作キーで操作することが可能となり、蓋体の回動操作に連動して操作ボタンスイッチの機能を切り換えることで、操作ボタンスイッチの数を半減することができる。
【００２０】
請求項３のリモコン装置によれば、請求項１又は２記載のリモコン装置において、前記リモコン本体には、前記蓋体の回動操作に連動して前記操作ボタンスイッチの機能を切り換える切換スイッチを設けたことにより、蓋体の回動操作に連動して操作ボタンスイッチの機能を簡単に切り換えることができる。
【００２１】
請求項４のリモコン装置によれば、請求項３記載のリモコン装置において、前記切換スイッチによって操作ボタンスイッチの機能を切り換えた際、操作対象である機器にモードの切換信号を出力するものであるから、操作ボタンスイッチの機能を切り換える際、機器側のモードが自動的に切り換わり、機能切換後の誤動作を確実に防止することができる。
【００２２】
請求項５のリモコン装置によれば、請求項１〜４の何れか１項に記載のリモコン装置において、前記リモコン本体には、操作ボタンスイッチの機能を示す表示部を設けるとともに、蓋体の表裏には前記切換スイッチによるモード切換時に対応して前記リモコン本体の表示部と異なる表示部が設けられているから、操作ボタンスイッチの機能を切り換える際、その機能に対応した表示部のみがリモコン本体と蓋体に形成されているから、１つの操作ボタンスイッチに機能が異なる２つの表示部を形成する必要がなく、表示部を形成するスペースを削減できるから、より一層、リモコン装置の小型化が可能となる。
【００２３】
請求項６のリモコン装置によれば、請求項１〜５の何れか１項に記載のリモコン装置において、前記蓋体と前記リモコン本体にそれぞれ相互に磁気的に吸着してリモコン本体に対して前記蓋体を保持するマグネットをそれぞれ対応した位置に設けるとともに、このマグネットは前記蓋体と前記リモコン本体との間隔を保持して操作ボタンスイッチの誤操作を防止するスペーサとして兼用してなるものであるから、リモコン本体と蓋体に形成するマグネットによってリモコン本体と蓋体との間隔を確実に保持して操作ボタンスイッチの誤操作を防止することができるとともに、マグネットによってリモコン本体に対して蓋体を確実に保持することができる。
【発明を実施するための最良の形態】
【００２４】
以下、本発明のリモコン装置の具体的実施例として記録再生装置を内蔵した複合型テレビなどの機器を遠隔操作するリモコン装置について、添付図面を参照しながら説明する。なお、以下の実施態様は、本発明を具体化する際の一形態であって、本発明をその範囲内に限定するためのものではない。
【実施例１】
【００２５】
図１は、リモコン装置の斜視図を示しており、本実施例では、遠隔操作の対象となる機器としてＤＶＤやＨＤＤなどの記憶再生装置を内蔵する複合型テレビジョン装置を操作するためのものである。
【００２６】
図１で示すようにリモコン装置のリモコン本体１には例えば電源オン／オフ用のPOWERキー、チャネル選択キー、音量をアップ／ダウンするシフトキーなどの複数の操作ボタンスイッチ２が配置されている。また、リモコン本体１は全体として縦長に形成され、そのリモコン本体１の高さ方向ほぼ中央部にヒンジ部３によって蓋体４が起伏回動可能に装着され、この蓋体４によってリモコン本体１を上部領域１Ａと下部領域１Ｂとに仕切る。また、上部領域１Ａと下部領域１Ｂに配置された前記操作ボタンスイッチ２は前記ヒンジ部３を介して対照に配置されるとともに、蓋体４には前記上下各領域１Ａ，１Ｂに配置した操作ボタンスイッチ２を操作する操作キー５が上下動可能に組み込まれている。なお、上部領域１Ａと下部領域１Ｂに配置する操作ボタンスイッチ２の形状は、対照に配置すれば図４（ａ）で示すように上下各領域１Ａ，１Ｂの操作ボタンスイッチ２が同一形状でも図４（ｂ）で示すように下部領域１Ｂに配置する一部の操作ボタンスイッチ２Ａの形状が上部領域１Ａに配置する操作ボタンスイッチ２と形状が異なるものであってもよい。
【００２７】
図７は、蓋体４に設けた操作キー５の取付状態を示す断面図であり、同図に示すように、蓋体４には、前記上下各領域１Ａ，１Ｂの操作ボタンスイッチ２と対応する位置に取付孔１０と、この取付孔１０の上下開口部周縁部に位置する段差凹部１１とが形成されている。操作キー５は軸部１２と、この軸部１２の上下に連設した操作部１３，１４とから成り、操作キー５の軸部１２を前記取付孔１０に貫通させて操作キー５を上下動自在に装着するとともに、軸部１２の上下に連設した操作部１３あるいは操作部１４を押圧することによって、蓋体４の裏面側に位置する操作ボタンスイッチ２を押圧操作する。また、図５の側面図で示すように、リモコン本体１と蓋体４には、その蓋体４で上下各領域１Ａ，１Ｂの何れか一方を覆った際、前記リモコン本体１と蓋体４との間隔Ｓを保持して操作ボタンスイッチ２の誤操作を防止するためのスペーサ１５が設けられている。このスペーサ１５は蓋体４とリモコン本体１とにそれぞれ対応して設けた複数のマグネット１６によって構成され、これら蓋体４とリモコン本体１のマグネット１６は例えば蓋体４のマグネット１６がＳ極であればリモコン本体１のマグネット１６がＮ極となるように着磁されており、蓋体４を上下各領域１Ａ，１Ｂの何れか一方を覆った際、マグネット１６によってリモコン本体１に対して蓋体４を磁気的に保持するように構成している。
【００２８】
前記リモコン本体１には蓋体４の回動動作に連動して前記操作ボタンスイッチ２のモードを切り換える切換スイッチ２０が設けられ、蓋体４には切換スイッチ２０と係合するモード切換用突起２１が設けられている。すなわち、図２の斜視図に示すように蓋体４はヒンジ部３を回動中心として起伏自在に回動し、上下各領域１Ａ，１Ｂの何れか一方を覆い、他方を露出する。この蓋体４の回動動作に連動してモード切換用突起２１で切換スイッチ２０を押す、あるいは切換スイッチ２０からモード切換用突起２１が離れることによって操作ボタンスイッチ２の機能が切り換わる。このように、操作ボタンスイッチ２は切換スイッチ２０によってモードが切り換わるから１つの切換スイッチ２０で２つの機能を備えることが可能となる。また、操作ボタンスイッチ２は２つの機能を備えることから、図８に示すようにリモコン本体１には操作ボタンスイッチ２の一方の機能を示す表示部３０が、蓋体４の表裏には操作ボタンスイッチ２と対応する操作キー５に近接して他方の機能を示す表示部３０Ａが形成されている。また、切換スイッチ２０によるモード切換時には、リモコン本体１の送信部３２からモード切換信号が操作対象の機器（図示せず）へ送信される。
【００２９】
以上のように構成される本実施例においては、図９（ａ）に示すように、蓋体４を上方側に回動させて上部領域１Ａを蓋体４で覆い、下部領域１Ｂを露出させた状態がＴＶモードである。ＴＶモードでは下部領域１Ｂに設けた切換スイッチ２０から蓋体４に形成するモード切換用突起２１と離れている。また、上部領域１Ａに配置された操作ボタンスイッチ２は蓋体４で覆われるが、蓋体４には各操作ボタンスイッチ２に対応して操作キー５が配置され、操作キー５を押すことによって蓋体４で隠れた操作ボタンスイッチ２が操作可能である。一方、下部領域１Ｂはリモコン本体１に操作ボタンスイッチ２が露出しているから、直接、操作ボタンスイッチ２を操作する。こうして、任意の操作ボタンスイッチ２を押すことによって送信部３２から機器側にリモコン信号を送信する。
【００３０】
ＴＶモードからＤＶＤモードに切り換えるには、図９（ｂ）に示すように、蓋体４を下方、すなわち、リモコン本体１の下部領域１Ｂ側に回動させ、図９（ｃ）に示すように、蓋体４でリモコン本体１の下部領域１Ｂを覆うと、蓋体４に形成するモード切換用突起２１が下部領域１Ｂに設けた切換スイッチ２０をオンする。これにより、リモコン本体１の切換スイッチ２０の機能が全て切り換わる。また、蓋体４でリモコン本体１の下部領域１Ｂを覆う際、リモコン本体１と蓋体４に形成するマグネット１６が係合し、図５に示すように、そのマグネット１６によって構成されるスペーサ１５によってリモコン本体１と蓋体４との間隔Ｓを保持され、蓋体４に組み付けた操作キー５によって操作ボタンスイッチ２が誤操作されることはない。さらに、リモコン本体１と蓋体４に形成するマグネット１６によってリモコン本体１と蓋体４とが間隔Ｓを保持した状態で保持され、蓋体４が不用意に開くこともなく、安定した状態で操作することができる。加えて、図９（ａ）に示すＴＶモードでは、蓋体４で覆われた上部領域１Ａの操作ボタンスイッチ２は、これを操作キー５の機能を表示する表示部３０Ａが蓋体４に形成され、下部領域１Ｂに露出して配置される操作ボタンスイッチ２の機能を示す表示部３０はリモコン本体１に直接形成され、切換スイッチ２０によって、ＤＶＤモードに切り換えた場合、露出する上部領域１Ａの表示部３０にＤＶＤ用の機能を示す表示部３０が表れ、蓋体４で覆われる下部領域１Ｂの操作ボタンスイッチ２は、蓋体４の表示部３０ＡによってＤＶＤ用の機能を示す表示が成される。これにより、切換スイッチ２０によって操作ボタンスイッチ２が切り換わっても、その操作ボタンスイッチ２の機能に対応した表示部３０又は表示部３０Ａによって正確にユーザに伝えることができる。なお、ＤＶＤモードからＴＶモードに切り換えるには、図９（ｄ）〜（ｆ）に示すように、蓋体４を開けて上部領域１Ａに回動すれば、切換スイッチ２０からモード切換用突起２１が離れてＤＶＤモードからＴＶモードへと簡単に切り換えることができる。また、このように、蓋体４の回動動作に連動して切換スイッチ２０によって操作ボタンスイッチ２の機能を切り換える際、すなわち、モード切換用突起２１によって切換スイッチ２０をオン・オフした際、リモコン装置１の送信部３２から機器側に切換信号を送信することによって、切換スイッチ２０の操作による誤動作の心配もない。
【００３１】
以上のように、蓋体４を回転させて、リモコン本体１の上下各領域１Ａ，１Ｂの何れかを覆うことによって、操作ボタンスイッチ２の機能を切り換えることができる。これにより、操作ボタンスイッチ２を半減することができ、リモコン本体１の小型化が可能となる。しかも、操作ボタンスイッチ２の機能を切り換える際、その機能に対応した表示部３０，３０Ａのみがリモコン本体１及び蓋体４の裏面に形成されているから、１つの操作ボタンスイッチ２に機能が異なる２つの表示部を形成する必要がないから、瞬時に操作ボタンスイッチ２の機能を判断することが可能となり、操作性にも優れるとともに、表示部３０，３０Ａの省スペース化も可能であり、より一層、リモコン本体１の小型化が可能である。また、蓋体４を開閉して操作ボタンスイッチ２の機能を切り換える際、リモコン本体１と蓋体４に形成するマグネット１６によってリモコン本体１と蓋体４との間隔Ｓを保持し、蓋体４に組み付けた操作キー５による操作ボタンスイッチ２の誤操作を防止することができるとともに、リモコン本体１と蓋体４のマグネット１６によってリモコン本体１に対して蓋体４を確実に保持することができる。また、切換スイッチ２０によって、操作ボタンスイッチ２の機能を切り換える際、切換信号を機器側に出力することで、その後、モードに応じた操作ボタンスイッチ２の操作信号を出力することができ、誤動作の心配もない。
【００３２】
以上、本発明の実施例を詳述したが、本発明は、前記実施例に限定されるものではなく、本発明の要旨の範囲内で種々の変形実施が可能である。例えば、蓋体４のヒンジ構造や蓋体４や操作ボタンスイッチ２などの形状あるいは操作ボタンスイッチ２の個数といったリモコン装置の基本的構成などは適宜選定すればよい。また、記憶再生装置を内蔵した複合型のテレビのリモコン装置として説明したが、他の機器のリモコン装置として広く適用可能である。
【図面の簡単な説明】
【００３３】
【図１】本発明の実施例１における蓋体で下部領域を覆った状態を示すリモコン装置の斜視図である。
【図２】同上、蓋体を回動させる途中の状態を示すリモコン装置の斜視図である。
【図３】同上、蓋体で上部領域を覆った状態を示すリモコン装置の斜視図である。
【図４】同上、蓋体で上部領域を覆った状態を示すリモコン装置の正面図であり、図４（ａ）は上下各領域とで同一形状の操作ボタンスイッチを配置した場合を示し、図４（ｂ）は下部領域で操作ボタンスイッチの一部の形状を異なる場合を示している。
【図５】同上、リモコン装置の側面図である。
【図６】同上、操作キーの斜視図である。
【図７】同上、操作キーの動作状態を示す断面図であり、図７（ａ）は操作前の状態を示し、図７（ｂ）は操作後の状態を示している。
【図８】同上、表示部を示す一部を省略したリモコン装置の正面図であり、図８（ａ）は上部領域を露出させた状態を示し、図８（ｂ）は上部領域を蓋体で覆った状態を示している。
【図９】同上、リモコン装置の操作手順を示す斜視図であり、図９（ａ）はＴＶモード、図９（ｂ）はＴＶモードからＤＶＤモードへと切り換える途中、図９（ｃ），（ｄ）はＤＶＤモード、図９（ｅ）はＤＶＤモードからＴＶモードへと切り換える途中、図９（ｆ）は再びＴＶモードへと切り換えた状態を示している。
【符号の説明】
【００３４】
１    リモコン本体
２，２Ａ  操作ボタンスイッチ
４  蓋体
５  操作キー
１５  スペーサ
１６  マグネット
２０  切換スイッチ
２１  モード切換用突起
３０，３０Ａ  表示部
Ｓ  間隔
【図１】
2007324686.tif 000003
【図２】
2007324686.tif 000004
【図３】
2007324686.tif 000005
【図４】
2007324686.tif 000006
【図５】
2007324686.tif 000007
【図６】
2007324686.tif 000008
【図７】
2007324686.tif 000009
【図８】
2007324686.tif 000010
【図９】
2007324686.tif 000011